(57)【要約】【課題】施工時もしくは使用中に連結経路を構成する締付け手段が緩み水漏れするといった恐れを解消し、安全で資源的に有利な食器洗い機を提供すること。【解決手段】給水経路５を連結経路９に固定する回転可能な第１の締付け手段１０と、水道管８を連結経路９に固定する回転可能な第２の締付け手段１２とを備え、第１の締付け手段１０と電磁給水弁７の第１の締付け手段１０側の端部の外側を樹脂１１で成形したものであり、施工業者が、誤って第１の締付け手段１０と第２の締付け手段１２とを反対に配設することを防止することができるとともに、使用中に第１の締付け手段１０が緩むのを防止し、その結果水漏れなどの問題の発生を抑制することができる。【選択図】図１
2010136793.tif 000002
【特許請求の範囲】
【請求項１】
食器を収納して洗浄する洗浄槽と、前記洗浄槽内に給水を行うための給水経路と水道管とを連結する連結経路と、前記給水経路もしくは前記連結経路に設けられるとともに前記洗浄槽への給水を制御する電磁給水弁と、前記給水経路を前記連結経路に接続して固定する回転可能な第１の締付け手段と、前記水道管を前記連結経路に接続して固定する回転可能な第２の締付け手段とを備え、前記第１の締付け手段と前記電磁給水弁の前記第１の締付け手段側の端部の外側を樹脂で成形して両者を固着した食器洗い機。
【請求項２】
樹脂は、外周形状を略円筒形とし、その円筒形の肩部に半径２ｍｍ以上の丸みを設けた請求項１記載の食器洗い機。
【発明の詳細な説明】
【技術分野】
【０００１】
本発明は、電磁給水弁や給水ホースによって水道水を洗浄槽内に供給して、洗浄槽内に収納された食器類を洗浄する食器洗い機に関するものである。
【背景技術】
【０００２】
従来、洗浄槽内に収納された食器類を洗浄する食器洗い機においては、水道管から水を洗浄槽内に供給する手段として、食器洗い機本体に固着した電磁給水弁に給水ホースを接続し、給水ホースの水道管側先端にはワンタッチカプラー状のジョイントを取付け、給水ポンプを取付け可能とし、その給水ポンプに制御信号を送るための制御信号接続部を食器洗い機本体に設けていた（例えば、特許文献１参照）。
【０００３】
上記特許文献１に開示された食器洗い機について図３を用いて説明する。図３に示すように、食器洗い機１０１は、内部に洗浄槽１０２を設けており、この洗浄槽１０２内へ食器洗い機本体１０３に固着された電磁給水弁１０４により水を供給するようにしている。電磁給水弁１０４には給水ホース１０５が接続され、給水ホース１０５の水道管１０６側先端にはワンタッチカプラー状のジョイント１０７を取付け、水道管１０６の替わりに給水ポンプ１０８を取付け可能とし、給水ポンプ１０８に制御信号を送るための制御信号接続部１０９を食器洗い機本体１０３に設けている。
【０００４】
上記構成により、水道が使用できない場合であっても、給水ポンプ１０８を給水ホース１０５の先端に取付けられたジョイント１０７に接続し、給水ホース１０５の通電用コード１１０を制御信号接続部１０９に接続して、洗浄槽１０２内に食器類１１１を入れ、洗浄槽１０２を食器洗い機本体１０３に収めて洗浄を開始すれば、電磁給水弁１０４と給水ポンプ１０８が動作して、あらかじめ溜めておいた水を洗浄槽１０２内に供給することができ、食器類１１１の洗浄を行うことができるようになっている。
【特許文献１】特開２００６−１１０１２９号公報
【発明の開示】
【発明が解決しようとする課題】
【０００５】
しかしながら、上記特許文献１に開示された従来の食器洗い機の構成では、使用者や施工者によって、給水ポンプ１０８がジョイント１０７に取付けられたり、取外されたりすることになり、給水ホース１０５とジョイント１０７の接続部に力が加えられ、接続が緩み、ジョイント１０７から水漏れする恐れがあるといった課題を有していた。また給水ポンプ１０８を使用しなくなっても食器洗い機本体１０３に制御信号接続部１０９が備えられていることになり、資源的に不利になるといった課題を有していた。
【０００６】
本発明は、前記従来の課題を解決するもので、施工時に連結経路を構成する締付け手段が緩み水漏れするといった恐れを解消し、安全で資源的に有利な食器洗い機を提供することを目的とする。
【課題を解決するための手段】
【０００７】
前記従来の課題を解決するために、本発明の食器洗い機は、食器を収納して洗浄する洗浄槽と、前記洗浄槽内に給水を行うための給水経路と水道管とを連結する連結経路と、前記給水経路もしくは前記連結経路に設けられるとともに前記洗浄槽への給水を制御する電磁給水弁と、前記給水経路を前記連結経路に接続して固定する回転可能な第１の締付け手段と、前記水道管を前記連結経路に接続して固定する回転可能な第２の締付け手段とを備え、前記第１の締付け手段と前記電磁給水弁の前記第１の締付け手段側の端部の外側を樹
脂で成形して両者を固着したもので、施工業者が、誤って第１の締付け手段と第２の締付け手段とを反対に配設することを防止するとともに、第一の締め付け手段が使用中に緩むのを防止することができ、その結果水漏れなどの問題の発生を抑制することができる。
【発明の効果】
【０００８】
本発明の食器洗い機によれば、施工業者が、誤って第１の締付け手段と第２の締付け手段とを反対に配設することを防止するとともに、第一の締め付け手段が使用中に緩むのを防止することができ、その結果水漏れなどの問題の発生を抑制することができる。
【発明を実施するための最良の形態】
【０００９】
第１の発明は、食器を収納して洗浄する洗浄槽と、前記洗浄槽内に給水を行うための給水経路と水道管とを連結する連結経路と、前記給水経路もしくは前記連結経路に設けられるとともに前記洗浄槽への給水を制御する電磁給水弁と、前記給水経路を前記連結経路に接続して固定する回転可能な第１の締付け手段と、前記水道管を前記連結経路に接続して固定する回転可能な第２の締付け手段とを備え、前記第１の締付け手段と前記電磁給水弁の前記第１の締付け手段側の端部の外側を樹脂で成形して両者を固着しているので、施工業者が、誤って第１の締付け手段と第２の締付け手段とを反対に配設することを防止するとともに、第１の締め付け手段が使用中に緩むのを防止することができ、その結果水漏れなどの問題の発生を抑制することができる。
【００１０】
また製造工程において製造者が給水経路と連結経路とを連結し、第１の締付け手段と前記電磁給水弁の外側を樹脂で成形、固着した食器洗い機が出荷され、各家庭において施工業者が食器洗い機を流し台に取り付ける際に、施工業者は、第１の締付け手段を回転させることができず、誤ることなく正規の方法で、第２の締付け手段を回転させて連結経路と水道管とを連結させることができる。
【００１１】
すなわち、施工業者が施工時に第１の締付け手段に触れることができず、使用者が食器洗い機の使用中に第１の締付け手段から水漏れするといった課題を解消することができる。そして、製造業者が所定のトルクで締め付けるので給水弁のネジを壊すことがなく、施工時に第１の締付け手段が緩められて、水漏れするといった課題を解消することができる。
【００１２】
また、第２の発明は、第１の発明において、樹脂は、外周形状を略円筒形とし、その円筒形の肩部に半径２ｍｍ以上の丸みを設けたので、施工業者が施工の際誤って、電磁給水弁及び前記給水経路を前記連結経路に固定する第１の締付け手段を流し台にぶつけたとしても角の直径が大きく、肩部に丸みを設けてあるため、流し台を傷つけるといった課題を解消することができる。
【００１３】
（実施の形態１）
図１は、本発明の第１の実施の形態における食器洗い機が流し台に設置された状態を示す断面図、図２（ａ）は、本発明の第１の実施の形態における食器洗い機の要部の側面図、図２（ｂ）は、本発明の第１の実施の形態における食器洗い機の要部の正面図である。
【００１４】
図１〜図２において、流し台Ｋ内に設けられたスペースＳに設置される食器洗い機１には、食器類２を収納して洗浄する洗浄槽３を内設した食器洗い機本体４を備えている。洗浄槽３につながっている給水経路５は、洗浄槽３内に給水を行うための給水ホース６と、給水ホース６と接続するとともに洗浄槽３への給水を制御する電磁給水弁７とを有している。
【００１５】
また、食器洗い機１は、電磁給水弁７と水道管８とを連結する連結経路９を有しており
、電磁給水弁７は水道管８側の一端７ａが第１の締付け手段１０により連結経路９に固定されており、電磁給水弁７の一端７ａと第１の締め付け手段１０の外側を樹脂１１で成形され、水道管８は第２の締付け手段１２により連結経路９に固定されている。
【００１６】
図２に示すように、第１の締付け手段１０と電磁給水弁７の一端７ａとは、その外周が樹脂１１で成形、固着され、第１の締付け手段１０と電磁給水弁７の一端７ａとの連結部の外周を樹脂１１で覆って、市販のスパナで締め付けたり、緩めたりできない形状で構成されている。また、第２の締付け手段１２は、略六角形状のナットであり、市販のスパナ等で容易に締め付けることができる。
【００１７】
したがって、施工業者が、誤って第１の締付け手段１０と第２の締付け手段１２とを反対に配設することを防止することができるとともに、第１の締め付け手段１０が使用中に緩むのを防止することができ、その結果水漏れなどの問題の発生を抑制することができる。
【００１８】
樹脂１１の外周形状は、略円筒形とし、その水道管８側の角部である肩部１１ａに半径２ｍｍ以上の丸みを設けてある。このように、樹脂１１の形状が略円筒形であり、円筒形の肩部１１ａが半径２ｍｍ以上ある角で成形してあるので、施工業者が施工の際誤って、電磁給水弁７及び、第１の締付け手段１０を流し台Ｋにぶつけたとしても角が無いため流し台Ｋを傷つける、といった課題を解消することができる。
【００１９】
また、製造工程において製造者が給水経路５と連結経路９とを連結し、第１の締め付け手段１０と電磁給水弁７の外周を樹脂１１で覆うように成形し、両者が固着された形で製造された食器洗い機１が出荷されるので、各家庭において施工業者が食器洗い機１を流し台Ｋに取り付ける際に、施工業者は、第１の締付け手段１０を回転させることができず、誤ることなく正規の方法で、市販のスパナ等を用い、第２の締付け手段１２を回転させて連結経路９と水道管８とを連結させることができる。
【００２０】
すなわち、施工業者が施工時に第１の締付け手段１０に触れることができず、第１の締付け手段１０を回転させることができないので、施工時の施工ミスにより、使用者が食器洗い機１の使用中に第１の締付け手段１０から水漏れするといった課題を解消することができる。
【００２１】
そして、製造業者が、電磁給水弁７に第１の締付け手段１０を所定のトルクで管理して締め付けるため、電磁給水弁７のネジを壊すことがなく、施工時に第１の締付け手段１０が緩められて、水漏れするといった課題を解消することができる。
【００２２】
さらに、第１の締め付け手段１０と電磁給水弁７の外周を樹脂１１で成形して両者を固着しているため、第１の締め付け手段１０が使用中に緩み、水漏れするといった課題を解消することができる。
【００２３】
また、電磁給水弁７は食器洗い機本体４内の制御部（図示せず）と接続されているリード線１３によって制御信号を受けて動作させることができる。この電磁給水弁７の一端７ａにはネジ部が形成されている。連結経路９の第１の締付け手段１０を電磁給水弁７のネジ部にねじ込み、連結経路９を電磁給水弁７に固着するように構成したものである。
【００２４】
以上のように構成された食器洗い機について、以下にその動作、作用について説明する。食器洗い機１を流し台Ｋ内に設けられたスペースＳに設置する場合、連結経路９を第２の締付け手段１２で水道管８と接続することになるが、第２の締付け手段１２を水道管８とネジ込み接続する時に、本実施の形態では、電磁給水弁７と第１の締め付け手段１０の
外側の外周部を樹脂１１で成形、固着して、第１の締付け手段１０に触れることができない構成としてあるので、第１の締付け手段１０が緩められることはない。
【００２５】
また、食器洗い機１の流し台Ｋ内に設けられたスペースＳへの設置に際しては、一旦、食器洗い機１を流し台ＫのスペースＳの前方に仮り置きし、給水ホース６をスペースＳの内部奥深くに放り込み、水道管８に接続してから食器洗い機１をスペースＳ内に前方から押し込んで設置する場合も多く、そのため、給水ホース６は相当の長さを有するのが通例である。
【００２６】
本実施の形態のような食器洗い機では、特に、給水ホース６の先端部に、電磁給水弁７、第１の締付け手段１０、第２の締付け手段１２等の多数の部品を備えているため、上記の設置作業中に、各部品が流し台Ｋの隣接する扉の前面やケコミ部の前面にぶつかってそれらの表面を傷付け、外観を損なうおそれが従来の食器洗い機よりも増大するが、本実施の形態によれば、電磁給水弁７と第１の締め付け手段１０の外側の外周部を樹脂１１で成形、固着し、さらに、樹脂１１の外周形状は、略円筒形とし、その水道管８側の角部である肩部１１ａを半径２ｍｍ以上の丸みを付けてあるので、施工業者が施工の際誤って、電磁給水弁７及び、第１の締付け手段１０を流し台Ｋの扉やケコミ部にぶつけたとしても、それらを傷つけることを防止することができる。
【００２７】
食器洗い機１を流し台Ｋ内に設けられたスペースＳへ設置した後、食器洗い機１の洗浄槽３に食器類２を入れて洗浄を開始すれば、電磁給水弁７にリード線１３を通じて開信号が伝達され、水道水が水道管８から流れだし、連結経路９、電磁給水弁７、給水ホース６を通じて、洗浄槽３に設けられた給水口から洗浄槽３内に流れこみ、ポンプによって洗浄槽３内の水道水を循環させながら食器類２を洗浄することができる。
【００２８】
以上のように本実施の形態によれば、連結経路９を構成する第１の締付け手段１０は電磁給水弁７の一端７ａとともに外側を樹脂で成形、固着されているので、施工時に第１の締付け手段１０が緩められて水漏れするといった恐れを解消することができる。また、従来例にみられたような制御信号接続部を必要としないことから資源的に有利なものとなる。
【００２９】
なお、本実施の形態では、電磁給水弁７は、給水経路５の途中、すなわち連結経路９および第１の締付け手段１０より食器洗い機１側に設けたが、連結経路９の途中、すなわち給水経路５および第１の締付け手段１０より水道管８側に設けた場合でも、本発明は適用可能であり、同様の効果が得られる。
【産業上の利用可能性】
【００３０】
以上のように、本発明にかかる食器洗い機は、使用中に給水経路と連結経路とを接続する第１の締付け手段から水漏れすることを防止することが可能となるので、電磁給水弁が機器本体の外に配置された食器洗い機等として有用である。
【図面の簡単な説明】
【００３１】
【図１】本発明の第１の実施の形態における食器洗い機が流し台に設置された状態を示した断面図
【図２】（ａ）同食器洗い機の要部の側面図（ｂ）同食器洗い機の要部の正面図
【図３】従来の食器洗い機の断面図
【符号の説明】
【００３２】
１  食器洗い機
３  洗浄槽
５  給水経路
６  給水ホース
７  電磁給水弁
８  水道管
９  連結経路
１０  第１の締付け手段
１１  樹脂
１２  第２の締付け手段
【図１】
2010136793.tif 000003
【図２】
2010136793.tif 000004
【図３】
2010136793.tif 000005